(57)【要約】  【課題】  マルチビュー表示装置の漏洩による二重映像による見辛さを逆に利用して視認性の高い強調表示を可能とし、映像効果を高めることのできる表示装置を提供する。  【解決手段】  複数のソース信号を合成した映像信号に基づいて、複数の視方向に対する個別の映像を同一画面上に表示可能な表示部３０１と、特定の第一視方向に対する映像のソース信号と前記第一視方向とは異なる第二視方向に対する映像のソース信号とを共通のソース信号として選択するソース信号選択部３４１と、前記第一視方向に対する映像のソース信号で駆動される画素及び前記第二視方向に対する映像のソース信号で駆動される画素が基準位置に対して相対的にずれるように編集して前記映像信号を生成する映像信号編集部３４２を備えて構成される。  【選択図】  図１１
2006293276.tif 000002
【特許請求の範囲】
【請求項１】
複数のソース信号を合成した映像信号に基づいて、複数の視方向に対する個別の映像を同一画面上に表示可能な表示部と、特定の第一視方向に対する映像のソース信号と前記第一視方向とは異なる第二視方向に対する映像のソース信号とを共通のソース信号として選択するソース信号選択部と、前記第一視方向に対する映像のソース信号で駆動される画素及び前記第二視方向に対する映像のソース信号で駆動される画素が基準位置に対して相対的にずれるように編集して前記映像信号を生成する映像信号編集部を備えて構成される表示装置。
【請求項２】
前記映像信号編集部により、編集された映像信号に基づいて各視方向に対応する画素を駆動する強調表示処理部をさらに備えて構成される請求項１記載の表示装置。
【請求項３】
前記映像信号編集部は、前記対応する画素の相対的ズレ量が設定された一定のズレ量となるように映像信号を編集する請求項１または２記載の表示装置。
【請求項４】
前記映像信号編集部は、前記対応する画素の相対的ズレ量が動的に変化するように映像信号を編集する請求項１または２記載の表示装置。
【請求項５】
前記映像信号編集部は、前記映像信号の何れか一方の輝度または色差を他方と異なるように映像信号を編集する請求項１または２記載の表示装置。
【請求項６】
前記強調表示処理部により強調表示される部位を選択する強調部位選択部を備え、前記映像信号編集部は何れかの映像信号から前記強調部位選択部により選択された部位を抽出して編集する請求項２記載の表示装置。
【請求項７】
前記強調部位選択部は、映像信号から設定入力された強調表示領域を選択するものである請求項６記載の表示装置。
【請求項８】
前記強調部位選択部は、映像信号から文字部を選択するものである請求項６記載の表示装置。
【請求項９】
前記強調部位選択部は、映像信号から特定着色部を選択するものである請求項６記載の表示装置。
【請求項１０】
前記強調部位選択部は、映像信号から静止体または動体の何れかを選択するものである請求項６記載の表示装置。
【請求項１１】
前記映像信号が、ナビゲーション装置からの案内路映像で、前記強調部位選択部は、当該映像信号から誘導路部位を選択するものである請求項６記載の表示装置。
【請求項１２】
前記映像信号編集部は、映像信号に付随する音声信号の強度または周波数に基づく所定のタイミングで、夫々の映像信号により駆動される第一及び第二視方向に対応する画素が基準位置から所定方向に相対的にずれるように映像信号を編集し、または、編集停止する請求項１から１１の何れかに記載の表示装置。
【請求項１３】
前記映像信号編集部は、映像信号に付随する映像属性信号に基づく所定のタイミングで、夫々の映像信号により駆動される第一及び第二視方向に対応する画素が基準位置から所定方向に相対的にずれるように映像信号を編集し、または、編集停止する請求項１から１１の何れかに記載の表示装置。
【請求項１４】
前記映像信号編集部は、外部入力信号に基づく所定のタイミングで、夫々の映像信号により駆動される第一及び第二視方向に対応する画素が基準位置から所定方向に相対的にずれるように映像信号を編集し、または、編集停止する請求項１から１１の何れかに記載の表示装置。
【請求項１５】
前記外部入力信号は、車両に搭載された障害物センサによる警報信号である請求項１４記載の表示装置。
【請求項１６】
前記外部入力信号は、前記表示部に対する操作入力信号である請求項１４記載の表示装置。
【請求項１７】
前記映像信号編集部により編集された映像信号のうち、画素の相対的ズレ量による強調表示不能領域を一定の色で表示し、または、強調表示可能領域の境界部位映像で表示する請求項２記載の表示装置。
【請求項１８】
複数のソース信号を合成した映像信号に基づいて、複数の視方向に対する個別の映像を同一画面上に表示可能な表示部に対して、特定の第一視方向に対する映像のソース信号と前記第一視方向とは異なる第二視方向に対する映像のソース信号とを共通のソース信号として選択するステップと、前記第一視方向に対する映像のソース信号で駆動される画素及び前記第二視方向に対する映像のソース信号で駆動される画素が基準位置に対して相対的にずれるように前記映像信号を編集生成する映像信号編集ステップを備えて構成される表示方法。
【請求項１９】
前記映像信号編集ステップにより編集された後の映像信号に基づいて各視方向に対応する画素を駆動する強調表示処理ステップをさらに備えて構成される請求項１記載の表示方法。
【請求項２０】
前記映像信号編集ステップは、前記対応する画素の相対的ズレ量が設定された一定のズレ量となるように映像信号を編集する請求項１８または１９記載の表示方法。
【請求項２１】
前記映像信号編集ステップは、前記対応する画素の相対的ズレ量が動的に変化するように映像信号を編集する請求項１８または１９記載の表示方法。
【請求項２２】
前記強調表示処理ステップにより強調表示される部位を選択する強調部位選択ステップを備え、前記映像信号編集ステップは何れかの映像信号から前記強調部位選択ステップにより選択された部位を抽出して編集する請求項１９記載の表示方法。
【発明の詳細な説明】
【技術分野】
【０００１】
本発明は、複数のソース信号を合成した映像信号に基づいて、複数の視方向に対する個別の映像を同一画面上に表示可能なマルチビュー表示部を備えた表示装置、及び、表示方法に関する。
【背景技術】
【０００２】
これまでの主なディスプレイの開発は、観察者がディスプレイをどの方向から観察しても同じ良好な画質で見ることができるように、或いは、複数の観察者が同時に同じ情報を得ることができるように最適化されてきた。しかし、個々の観察者が同じディスプレイからの異なる情報を見ることができることが望ましい用途が数多くある。例えば、自動車の中で、ドライバーは衛星ナビゲーションデータを見ることを望み、隣席の同乗者は車載ＤＶＤやテレビチューナの映像を見ることを望むという場合がある。このような例において２つのディスプレイが用いられる場合には、余分な場所をとりコストを増大させるという問題がある。
【０００３】
そこで近年、下記特許文献１及び特許文献２に示すように、一台の液晶ディスプレイで二画面を同時に表示することができ、例えば、運転席と助手席とから夫々異なる画面を見ることができる表示装置が開示されている。また、下記特許文献３及び４に示すように、二種類の映像を、同時に同一画面に表示することができる二画面表示装置が開示されている。
【特許文献１】特開平６-１８６５２６号公報
【特許文献２】特開２０００-１３７４４３号公報
【特許文献３】特開平１１-３３１８７６号公報
【特許文献４】特開平０９-４６６２２号公報
【特許文献５】特開２００４−２０６０８９号公報
【発明の開示】
【発明が解決しようとする課題】
【０００４】
しかし、上述のマルチビュー表示装置は、視方向の異なる複数の映像を同時に表示した場合、一方の観察者が一方の映像のみをクリアに視認するために、前記表示装置からの距離及び角度が所定の範囲に入る領域内から観察する必要があり、その範囲から逸脱した領域から観察すると一方の映像に他方の映像の一部が漏洩して重なり合って見えてしまう、所謂二重映像が発生するという問題があった。特に、観察者が一方にのみ存在している場合であっても、二つの異なる映像が表示されている場合には二重映像が発生し、これによって映像の観察位置が極めて狭い範囲に特定されてしまうことは、観察者にとって非常に不都合なことであった。
【０００５】
本発明の目的は、上述の問題点に鑑み、マルチビュー表示装置の観察者が一方向にのみ存在しているとき、或いは、一方の映像のみ必要とされる場合等に、観察位置の如何を問わず二重映像による見辛さを逆に利用して視認性の高い強調表示を可能とし、映像効果を高めることのできる表示装置及び表示方法を提供する点にある。
【課題を解決するための手段】
【０００６】
上述の目的を達成するため、本発明による表示装置の第一の特徴構成は、複数のソース信号を合成した映像信号に基づいて、複数の視方向に対する個別の映像を同一画面上に表示可能な表示部と、特定の第一視方向に対する映像のソース信号と前記第一視方向とは異なる第二視方向に対する映像のソース信号とを共通のソース信号として選択するソース信号選択部と、前記第一視方向に対する映像のソース信号で駆動される画素及び前記第二視方向に対する映像のソース信号で駆動される画素が基準位置に対して相対的にずれるように編集して前記映像信号を生成する映像信号編集部を備えて構成される点にある。
【０００７】
上述の構成によれば、異なる視方向に対応する画素を、ソース信号選択部で選択された共通のソース信号から生成される映像信号に基づいて駆動する際に、映像信号編集部によって夫々の映像信号の対応する部位が基準位置から所定方向に相対的にずれるように編集されるので、そのような映像信号に基づいて表示された映像として、例えば、第一視方向からの観察者にとっては、対応する画素により表示される映像と、その映像から所定方向例えば、左斜め下方向に数画素ずらせた第二視方向に対応する画素からの漏洩映像が観察され、それによって第一視方向に対応する画素による映像に第二視方向に対応する漏洩映像が影として表示され、擬似的な立体映像のように視認されるのである。
【０００８】
同第二の特徴構成は、上述の第一特徴構成に加えて、前記映像信号編集部により、編集された映像信号に基づいて各視方向に対応する画素を駆動する強調表示処理部をさらに備えて構成される点にある。
【０００９】
上述の構成によれば、異なる視方向に対応する画素を、ソース信号選択部で選択された共通のソース信号から生成される映像信号に基づいて駆動する際に、映像信号編集部によって夫々の映像信号の対応する部位が基準位置から所定方向に相対的にずれるように編集されるので、強調表示処理部により表示された映像として、例えば、第一視方向からの観察者にとっては、対応する画素により表示される映像と、その映像から所定方向例えば、左斜め下方向に数画素ずらせた第二視方向に対応する画素からの漏洩映像が観察され、それによって第一視方向に対応する画素による映像に第二視方向に対応する漏洩映像が影として表示され、擬似的な立体映像のように視認されるのである。
【００１０】
同第三の特徴構成は、上述の第一または第二特徴構成に加えて、前記映像信号編集部は、前記対応する画素の相対的ズレ量が設定された一定のズレ量となるように映像信号を編集する点にある。
【００１１】
上述の構成によれば、例えば、第一視方向からの観察者にとっては、対応する画素により表示される映像と、その映像から所定方向に設定された好ましいと判断されて設定されるズレ量だけずらせた第二視方向に対応する画素からの漏洩映像を観察することができるようになる。
【００１２】
同第四の特徴構成は、上述の第一または第二特徴構成に加えて、前記映像信号編集部は、前記対応する画素の相対的ズレ量が動的に変化するように映像信号を編集する点にある。
【００１３】
上述の構成によれば、ズレ量を動的に変化させることにより、例えば、第一視方向からの観察者にとっては、対応する画素により表示される映像そのものが動的に観察できるという映像効果を奏することができるようになり、例えば、一定のリズムでズレ量を動的に変化させることで、映像をより楽しむことができるようになるのである。
【００１４】
同第五の特徴構成は、上述の第一または第二特徴構成に加えて、前記映像信号編集部は、前記映像信号の何れか一方の輝度または色差を他方と異なるように映像信号を編集する点にある。
【００１５】
上述の構成によれば、影として表示される漏洩映像の輝度または色相を異ならせることにより、擬似立体表示による強調表示効果をより高めることができ、併せて演出効果を高めることもできるようになる。
【００１６】
同第六の特徴構成は、上述の第二特徴構成に加えて、前記強調表示処理部により強調表示される部位を選択する強調部位選択部を備え、前記映像信号編集部は何れかの映像信号から前記強調部位選択部により選択された部位を抽出して編集する点にある。
【００１７】
上述の構成によれば、強調部位選択部によって選択された部位のみ映像信号編集部で抽出されて編集処理されるので、映像の特定部位のみを擬似的な立体映像として強調表示でき、他の部位は漏洩画像が無くなりすっきりとした映像を観察できるようになるのである。
【００１８】
同第七の特徴構成は、上述の第六特徴構成に加えて、前記強調部位選択部は、映像信号から設定入力された強調表示領域を選択するものである点にある。
【００１９】
この場合には、観察者の意図に沿って設定入力された任意の領域を抽出して強調表示できる自由度の高い編集が可能になる。
【００２０】
同第八の特徴構成は、上述の第六特徴構成に加えて、前記強調部位選択部は、映像信号から文字部を選択するものである点にある。
【００２１】
この場合には、文字部のみ強調表示でき、例えば、字幕等を強調して表示させることができるのである。
【００２２】
第九の特徴構成は、上述の第六特徴構成に加えて、前記強調部位選択部は、映像信号から特定着色部を選択するものである点にある。
【００２３】
この場合には、映像信号から選択された色に対応する部位のみ抽出され、その部位が擬似的に立体表示されるようになる。従って、映像中の注視したい対象物の色を選択することにより、その対象物が強調表示されるようになる。
【００２４】
第十の特徴構成は、上述の第六特徴構成に加えて、前記強調部位選択部は、映像信号から静止体または動体の何れかを選択するものである点にある。
【００２５】
この場合には、映像中に擬似的に立体表示されている対象物を静止体または動体であると容易に識別することができるようになる。
【００２６】
第十一の特徴構成は、上述の第六特徴構成に加えて、前記映像信号が、ナビゲーション装置からの案内路映像で、前記強調部位選択部は、当該映像信号から誘導路部位を選択するものである点にある。
【００２７】
この場合には、ナビゲーション装置による目的地までの道路案内を示す映像中に誘導路が強調表示されるようになり、表示画面を目視する運転者にとって揺動路を確認し易くなるという効果が得られる。
【００２８】
同第十二の特徴構成は、上述の第一から第十一特徴構成の何れかに加えて、前記映像信号編集部は、映像信号に付随する音声信号の強度または周波数に基づく所定のタイミングで、夫々の映像信号により駆動される第一及び第二視方向に対応する画素が基準位置から所定方向に相対的にずれるように映像信号を編集し、または、編集停止する点にある。
【００２９】
上述の構成によれば、映像信号に付随する音声信号の強度または周波数に基づいて擬似的な立体表示が行なわれたり停止されたりすることにより、観察者が映像をより楽しんで視聴することができるようになる。例えば、デジタル地上波によるミュージックプログラムをソース信号として表示しているような場合に効果的である。
【００３０】
同第十三の特徴構成は、上述の第一から第十一特徴構成の何れかに加えて、前記映像信号編集部は、映像信号に付随する映像属性信号に基づく所定のタイミングで、夫々の映像信号により駆動される第一及び第二視方向に対応する画素が基準位置から所定方向に相対的にずれるように映像信号を編集し、または、編集停止する点にある。
【００３１】
上述の場合には、例えば、デジタル地上波によるプログラムの映像がソース信号として入力されるような場合に、映像属性信号として、例えば、ＴＳパケットのヘッダー情報に埋め込まれた識別コードによって、プログラムの主映像とＣＭ（コマーシャル・メッセージ）映像を識別し、ＣＭ映像に対して強調表示するように構成することができる。つまり、ソース信号の供給者側により予め強調表示させる必要のある映像信号に、識別可能な映像属性信号を付加しておくことにより、前記映像信号編集部がその映像属性信号を識別して必要な映像が強調表示されるようになるのである。
【００３２】
同第十四の特徴構成は、上述の第一から第十一特徴構成の何れかに加えて、前記映像信号編集部は、外部入力信号に基づく所定のタイミングで、夫々の映像信号により駆動される第一及び第二視方向に対応する画素が基準位置から所定方向に相対的にずれるように映像信号を編集し、または、編集停止する点にある。
【００３３】
上述の構成によれば、外部で発生した事象によって強調表示させたり強調表示を解除できるようになり、事象の発生状況を観察者に効果的に伝えることができるようになる。
【００３４】
同第十五の特徴構成は、上述の第十四特徴構成に加えて、前記外部入力信号は、車両に搭載された障害物センサによる警報信号である点にある。
【００３５】
上述の構成によれば、例えば、車両に搭載されたミリ波レーダー装置のような障害物センサによって障害物が発見されたような、危険な外部事象の発生時に映像を強調表示させることによって観察者つまり運転者の注意を効果的に促すことができるようになるのである。
【００３６】
同第十六の特徴構成は、上述の第十四特徴構成に加えて、前記外部入力信号は、前記マルチビュー表示装置に対する操作入力信号である点にある。
【００３７】
操作入力時には、表示画面に操作に伴う表示ガイダンスが表示されることが頻繁にあり、特にタッチパネル式の入力部ではそれが顕著である。そこで、そのような操作時に発生する操作入力信号に基づいて、画面のガイダンス表示等による操作を容易にすべく、擬似的な立体表示を行なうか停止するかを切り替えることにより、操作性を向上させることができるようになる。
【００３８】
同第十七の特徴構成は、上述の第二特徴構成に加えて、前記映像信号編集部により編集された映像信号のうち、画素の相対的ズレ量による強調表示不能領域を一定の色で表示し、または、強調表示可能領域の境界部位映像で表示する点にある。
【００３９】
映像信号編集部は、ソース信号を共通とする夫々の映像信号により駆動される第一及び第二視方向に対応する画素が、基準位置から所定方向に相対的にずれるように映像信号を編集するものであるため、編集の結果、何れかの映像信号に含まれない領域つまり強調表示できない領域が生じる。そこで、この場合には、そのような領域を一定の色で表示し、または、強調表示可能領域の境界部位映像を繰り返すことにより、そのような領域が強調表示されない領域として容易に認識できるようになる。
【００４０】
本発明による表示方法の第一の特徴構成は、複数のソース信号を合成した映像信号に基づいて、複数の視方向に対する個別の映像を同一画面上に表示可能な表示部に対して、特定の第一視方向に対する映像のソース信号と前記第一視方向とは異なる第二視方向に対する映像のソース信号とを共通のソース信号として選択するステップと、前記第一視方向に対する映像のソース信号で駆動される画素及び前記第二視方向に対する映像のソース信号で駆動される画素が基準位置に対して相対的にずれるように前記映像信号を編集生成する映像信号編集ステップを備えて構成される点にある。
【００４１】
同第二の特徴構成は、上述の第一特徴構成に加えて、前記映像信号編集ステップにより編集された後の映像信号に基づいて各視方向に対応する画素を駆動する強調表示処理ステップをさらに備えて構成される点にある。
【００４２】
同第三の特徴構成は、上述の第一または第二特徴構成に加えて、前記映像信号編集ステップは、前記対応する画素の相対的ズレ量が設定された一定のズレ量となるように映像信号を編集する点にある。
【００４３】
同第四の特徴構成は、上述の第一または第二特徴構成に加えて、前記映像信号編集ステップは、前記対応する画素の相対的ズレ量が動的に変化するように映像信号を編集する点にある。
【００４４】
同第五の特徴構成は、上述の第一特徴構成に加えて、前記強調表示処理ステップにより強調表示される部位を選択する強調部位選択ステップを備え、前記映像信号編集ステップは何れかの映像信号から前記強調部位選択ステップにより選択された部位を抽出して編集する点にある。
【発明の効果】
【００４５】
以上説明した通り、本発明によれば、マルチビュー表示装置の観察者が一方向にのみ存在しているとき、或いは、一方の映像のみ必要とされる場合等に、観察位置の如何を問わず二重映像による見辛さを逆に利用して視認性の高い強調表示を可能とし、映像効果を高めることのできる表示装置及び表示方法を提供することができるようになった。
【発明を実施するための最良の形態】
【００４６】
以下、本発明を具現化する表示装置の基本的な実施の形態を図面に従って説明する。但し、本発明の技術的範囲は以下に記載する実施の形態に限定されず、特許請求の範囲に記載された発明とその均等物に及ぶものである。
【００４７】
図１は、本発明に係わるマルチビュー表示装置（以下、単に「表示装置」と記す。）の概念図である。図中、１は第１の映像ソース、２は第２の映像ソース、３は第１の映像ソースからの第１の画像データ、４は第２の映像ソースからの第２の画像データ、５は表示制御手段、６は表示データ、７は表示部（例えば液晶パネル等）、８は第１の映像ソース１に基づく第１の表示画像、９は第２の映像ソース２に基づく第２の表示画像、１０は表示部７に対して左側に位置する観察者（利用者）、１１は表示部７に対して右側に位置する観察者（利用者）である。
【００４８】
図1の概念図は、表示部７に対する観察者１０、１１の相対的位置に応じて、換言すれば表示部７に対する視野角に応じて、観察者１０は第１の表示画像８を、観察者１１は第２の表示画像９を実質的に同時に見ることができ、しかも各々の表示画像８、９は表示部７の表示面全体に渡ってみることができることを概念的に示すものである。図１において、第１の映像ソース１は例えばＤＶＤプレーヤの映画画像やテレビ受信機の受信画像等、第２の映像ソース２は例えばカーナビゲーション装置の地図やルート案内画像等であり、それぞれの第１の映像データ３及び第２の映像データ４は表示制御手段５に供給され、それらが表示部７で実質的に同時に表示できるように処理される。
【００４９】
表示制御手段５から表示データ６が供給される表示部７は、後述する視差バリアを備えた液晶パネル等で構成される。表示部７の横方向の総画素の半数が第１の映像ソース１に基づく第１の表示画像８の表示に、残りの半数の画素が第２の映像ソース２に基づく第２の表示画像９の表示に使用される。表示部７に対して左側に位置する観察者１０には、第１の表示画像８に対応する画素のみが見え、第２の表示画像９は表示部７の表面に形成されている視差バリアによって遮られて実質的に見えない。一方、表示部７に対して右側に位置する観察者１１には、第２の表示画像９に対応する画素のみが見え、第１の表示画像８は視差バリアにより遮られて実質的に見えない。尚、視差バリアについては、例えば、特開平１０−１２３４６１号公報、特開平１１−８４１３１号公報に開示された構成を応用できる。
【００５０】
このような構成により、単一の画面で左右の利用者に異なる情報やコンテンツを提供することができる。もちろん、第１、第２の映像ソースが同じであれば、従来通り左右の利用者が同じ画像を見ることもできる。
【００５１】
図２は、本発明に係る表示装置の車両への搭載例を示す斜視図である。図中、１２は助手席、１３は運転席、１４はウインドシールド、１５は操作部、１６はスピーカである。
【００５２】
図１の表示装置の表示部７は、例えば図２に示すように、運転席１３と助手席１２とのほぼ中央のダッシュボード部分に配置される。表示装置に対する各種操作は、表示部７の表面に一体的に形成したタッチパネル（図示せず）や操作部１５又は、赤外線又は無線リモートコントローラ（図示せず）の操作によって行われる。車両の各ドアにはスピーカ１６が配置され、表示画像に連動した音声や警告音等が出力される。
【００５３】
運転席１３に図１の観察者１１が、助手席１２には観察者１０が座る。表示部７に対する第１視方向（運転席側）から見ることができる画像は例えばカーナビゲーション装置の地図等の画像であり、実質的に同時に第２視方向（助手席側）から見ることができる画像は例えばテレビ受信画像やＤＶＤムービー画像である。従って、運転席１３の運転者がカーナビゲーションによる運転支援を受けるのと同時に助手席１２の同乗者はテレビやＤＶＤを楽しむことができる。しかもそれぞれの画像は例えば７インチの画面全体を使用して表示されるため、従来のマルチウインドウ表示のように画面サイズが小さくなることもない。つまり、運転者、同乗者にとっては、あたかも各々に独立した専用のディスプレイがあるかの如く、それぞれに最適な情報やコンテンツが提供されるのである。
【００５４】
図３は、表示部７の断面構造の概略図である。図中、１００は液晶パネル、１０１はバックライト、１０２は液晶パネルのバックライト側に設置された偏光板、１０３は液晶パネルの発光方向側の前面に配置された偏光板、１０４はＴＦＴ(Thin Film Transistor)基板、１０５は液晶層、１０６はカラーフィルタ基板、１０７はガラス基板、１０８は視差バリアである。液晶パネル１００は、ＴＦＴ基板１０４とそれに対向して配置されるカラーフィルタ基板１０６の間に液晶層１０５を挟持した一対の基板と、その発光方向側の前面に配置された視差バリア１０８とガラス基板１０７とを、２枚の偏光板１０２・１０３の間に挟んだ構成となっており、バックライト１０１からやや離隔して配設される。また、液晶パネル１００は、ＲＧＢ色（三原色）で構成される画素を有する。
【００５５】
液晶パネル１００の各画素は、左側（助手席側）表示用と、右側（運転席側）表示用に分けられて表示制御される。そして、左側（助手席側）表示用画素は、視差バリア１０８により右側（運転席側）への表示は遮断され、左側（助手席側）からは見えるようになっている。また、右側（運転席側）表示用画素は、視差バリア１０８により左側（助手席側）への表示が遮断され、右側（運転席側）からは見えるようになっている。これによって、運転者と同乗者に異なった表示を提供することが可能となる。つまり、運転者にはナビゲーションの地図情報を与え、同時に同乗者にはＤＶＤの映画等を見せることが可能となる。なお、視差バリア１０８、前記液晶パネルの各画素の構成を変更すれば、３方向等、複数方向に異なった画像を表示する構成も可能である。また、視差バリア自体を電気的に駆動可能な液晶シャッタ等で構成して視野角を可変するようにしてもよい。
【００５６】
図４は、表示パネルを正面から見た構造の概略図であり、図３は図４中のＡ−Ａ′断面である。図中、１０９は左側（助手席側）表示用の画素、１１０は右側（運転席側）表示用の画素である。図３及び図４は、例えば横方向に８００画素、縦方向に４８０画素並べられた液晶パネル１００の一部を表す。左側（助手席側）表示用の画素１０９と右側（運転席側）表示用の画素１１０は縦方向にグループ化され、交互に並んでいる。視差バリア１０８は、横方向にある間隔で配置され、縦方向には一様である。これによって、左側から表示パネルを見ると、視差バリア１０８が右側用画素１１０を覆い隠して、左側用画素１０９が見える。また同様に右側から見ると、視差バリア１０８が左側用画素１０９を覆い隠して、右側用画素１１０が見える。さらに正面付近では、左側用画素１０９と右側用画素１１０の両方が見えるため、左側表示画像と右側表示画像とが実質的に重なって見える。ここで、図４中の交互に並んだ左側用画素１０９及び右側用画素１１０は、図３のようにＲＧＢ色を有しているが、各グループ縦方向内は、Ｒ列、Ｇ列、Ｂ列のように単色で構成されていてもよいし、ＲＧＢが複数混じった列として構成されていてもよい。
【００５７】
具体的には、例えば、前記表示部７において、右側（運転席側）と左側（助手席側）の２方向に異なる映像を表示させるためには、夫々の映像に対応するソース信号を構成する８００×４８０の画素を４００×４８０の画素に圧縮することで、前記表示部７の画素数である８００×４８０に対応した映像信号にするように構成できる。このとき、図１０に示すように、運転席側のソース信号については本来映像を表示すべきソース信号のうち奇数列のソース信号を間引き、また、助手席側のソース信号については偶数列のソース信号を間引く構成を採用できる。ただし、間引き方はこれに限定するものではなく、１画素を構成するＲ，Ｇ，Ｂの各要素単位に奇数列、偶数列で間引き処理してもよい。間引き処理により圧縮された夫々の映像ソースを列が交互になるように合成処理して最終の映像ソースが生成される。
【００５８】
このようにして表示部に表示された映像を右側（運転席側）から眺めたときに、例えば、図１に示す運転者の観察位置によっては、図４に示す視差バリア１０８により覆い隠されるべき左側用画素１０９の映像が視差バリア１０８から僅かに洩れる場合があり、同様に左側（助手席側）から眺めたときに、同乗者の観察位置によっては、視差バリア１０８により覆い隠されるべき右側用画素１１０の映像が視差バリア１０８から僅かに洩れる場合がある。また、表示部の正面から眺めたときには、左側用画素１０９及び右側用画素１１０の両画素が視差バリア１０８の間から視認される。これらの洩れ映像により所謂二重映像が視認されるが、本発明は、そのような二重映像による見辛さを逆に利用して視認性の高い強調表示を行なう制御手段（図６に符号２００で示される）を備えている。
【００５９】
図５はＴＦＴ基板１０４の概略を示す回路図である。１１１は表示パネル駆動部、１１２は走査線駆動回路、１１３はデータ線駆動回路、１１４はＴＦＴ素子、１１５〜１１８はデータ線、１１９〜１２１は走査線、１２２は画素電極、１２３はサブピクセルである。
【００６０】
図５に示すように、サブピクセル１２３は各データ線１１５〜１１８及び各走査線１１９〜１２１によって囲まれた領域を一単位とし、複数形成される。各サブピクセルには、液晶層１０５に電圧を印加する画素電極１２２とそれをスイッチング制御するＴＦＴ素子１１４が形成されている。表示パネル駆動部１１１は走査線駆動回路１１２及びデータ線駆動回路１１３の駆動タイミングを制御する。走査線駆動回路１１２はＴＦＴ素子１１４の選択走査を行い、またデータ線駆動回路１１３は画素電極１２２への印加電圧を制御する。
【００６１】
前記複数のサブピクセルは、第１の画像データと第２の画像データの合成データもしくは、第１と第２の個々の画像データに基づいて、例えばデータ線１１５と１１７に第１の画素データ（左側画像表示用）を、またデータ線１１６と１１８に第２の画素データ（右側画像表示用）を送信することよって、第１の画像を表示する第１の画像データ群と第２の画像を表示する第２の画像データ群が形成される。
【００６２】
図６は、本発明に係わる表示装置の概要を示すブロック図であり、いわゆるAudio Visual Navigation 複合機への適用例である。図中、１２４はタッチパネル、２００は制御手段、２０１はＣＤ／ＭＤ再生部、２０２はラジオ受信部、２０３はＴＶ受信部、２０４はＤＶＤ再生、２０５はＨＤ（Hard Disk）再生部、２０６はナビゲーション部、２０７は分配回路、２０８は第１の画像調整回路、２０９は第２の画像調整回路、２１０は音声調整回路、２１１は画像出力部、２１２はＶＩＣＳ情報受信部、２１３はＧＰＳ情報受信部、２１４はセレクタ、２１５は操作部、２１６はリモコン送受信部、２１７はリモコン、２１８はメモリ、２１９は外部音声／映像入力部、２２０はカメラ、２２１は明るさ検知手段、２２２は乗員検知手段、２２３はリア表示部、２２４はＥＴＣ車載器、２２５は通信ユニットである。
【００６３】
表示部７は、タッチパネル１２４、液晶パネル１００及びバックライト１０１から構成される。表示部７の液晶パネル１００は、これまでに述べてきたように、第１視方向として運転席側から見られる画像と、第２視方向として助手席側から見られる画像とを、実質的に同時に表示することが可能となっている。尚、表示部７には、液晶パネル以外のフラットパネルディスレイ、例えば有機ＥＬディスプレイパネル、プラズマディスプレイパネル、冷陰極フラットパネルディスプレイ等を用いることもできる。
【００６４】
制御手段２００は、各種ソース（ＣＤ／ＭＤ再生部２０１、ラジオ受信部２０２、ＴＶ受信部２０３、ＤＶＤ再生部２０４、ＨＤ再生部２０５及びナビゲーション部２０６）からの画像や音声は、制御手段２００からの指示に基づき左用に指定された映像ソースを２０８に、右用に指定されたソースを２０９に分配させる分配回路２０７を介して、画像であれば第１の画像調整回路２０８及び第２の画像調整回路２０９に、音声であれば音声調整回路２１０にそれぞれ分配される。そして、第１及び第２の画像調整回路２０８、２０９では、輝度や色調、コントラストなどが調整され、調整された各画像を画像出力部２１１にて、表示部７に表示させる。また音声調整回路２１０では各スピーカへの分配や音量、音声が調整され、調整された音声が、スピーカ１６から出力される。
【００６５】
制御手段２００は、分配回路２０７を介して特定の第一視方向としての運転席側に対する映像のソース信号と前記第一視方向とは異なる第二視方向としての助手席側に対する映像のソース信号とを共通のソース信号として選択するソース信号選択部と、第１の画像調整回路２０８及び第２の画像調整回路２０９を制御して前記第一視方向に対する映像のソース信号で駆動される画素及び前記第二視方向に対する映像のソース信号で駆動される画素が基準位置に対して相対的にずれるように編集して前記映像信号を生成する映像信号編集部を備えている。
【００６６】
その結果、表示部７には特定の第一視方向、例えば運転席側に対応する漏洩映像が影として表示され、第一視方向とは異なる第二視方向、例えば助手席側から眺めると擬似的な立体映像のように視認されるようになる。
【００６７】
図７は画像出力部２１１の概略を示すブロック図である。図中、２２６は第一の書込回路、２２７は第二の書込回路、２２８はＶＲＡＭ（Video RAM）である。
【００６８】
画像出力部２１１は、例えば図７に示すように、第１の書込回路２２６と第２の書込回路２２７とＶＲＡＭ（Video RAM）２２８と表示パネル駆動部１１１とを備えている。例えば、第１の書込回路２２６は、調整された画像データのうち２０８から出力される画像の奇数列に対応する画像データ（即ち、図１の第１の表示画像８用の画像データ）を、第２の書込回路２２７は２０９から出力される偶数列に対応する画像データ（即ち、図１の第２の表示画像９用の画像データ）をもとにし、それぞれＶＲＡＭ２２８における該当する領域に書き込む。また表示パネル駆動部１１１は液晶パネル１００を駆動する回路であり、ＶＲＡＭ２２８に保持されている画像データ（第１の画像データと第２の画像データの合成データ）に基づいて、液晶表示パネル１００の対応する画素を駆動する。尚、ＶＲＡＭ２２８には第１の画像データと第２の画像データの合成されたマルチビュー表示用の画像に対応するように画像データの書き込みが行われているので、駆動回路は１つでよく、その動作も通常の液晶表示装置の駆動回路の動作と同じである。また別の構成として、第１の画像データと第２の画像データを合成せずに、それぞれの画像データに基づいて、液晶表示パネルの対応する画素を駆動する第１の表示パネル駆動回路及び第２の表示パネル駆動回路を用いることも考えられる。
【００６９】
ここで、図６で示した各種ソースの一例について説明をすると、ＨＤ再生部２０５を選択した場合、ハードディスク（ＨＤ）に記憶されたＭＰ３ファイル等の音楽データやＪＰＥＧファイル等の画像データ、ナビゲーション用の地図データ等が読み出され、音楽データを選択するためのメニュー表示や画像データを表示部７に表示させることができる。
【００７０】
ナビゲーション部２０６は、ナビゲーションの為に利用される地図情報を記憶した地図情報記憶部を備え、ＶＩＣＳ情報受信部２１２、ＧＰＳ情報受信部２１３から情報を入手し、ナビゲーション動作の為の画像を作成し、表示させることができる。またＴＶ受信部２０３は、アンテナからセレクタ２１４を介して、アナログＴＶ放送波及びデジタルＴＶ放送波を受信する。
【００７１】
図８は制御手段２００の概略を示すブロック図である。図中、２２９はインターフェース、２３０はＣＰＵ、２３１は記憶部、２３２はデータ記憶部である。
【００７２】
尚、制御手段２００は分配回路２０７並びに各種ソースを制御し、選択された２つのソースもしくは１つのソースについて表示を行わせる。また制御手段２００は、これら各種ソースをコントロールするための操作メニュー表示を表示部７に表示させることも行っている。ここで、図８で示すように、制御手段２００はマイクロプロセッサなどで構成され、インターフェース２２９を介して、表示装置内の各部や各回路を統括的に制御しているＣＰＵ２３０を備えている。このＣＰＵ２３０には、表示装置の動作に必要な各種のプログラムを保持するＲＯＭからなるプログラム記憶部２３１と、各種のデータを保持するＲＡＭからなるデータ記憶部２３２とが設けられている。なお、ＲＯＭやＲＡＭ等は、ＣＰＵに内蔵されたものでも、外部に設けたものでも使用することが可能である。又、ＲＯＭはフラッシュメモリの様に電気的に書き換え可能な不揮発性メモリでもよい。
【００７３】
ユーザは、上記各種ソースのコントロールを、表示部７の表面に取り付けられているタッチパネル１２４や表示部７の周囲に設けられたスイッチ、もしくは音声認識等の入力操作や選択操作を操作部２１５によって行うことができる。またリモコン送受信部２１６を介して、リモコン２１７により入力もしくは選択操作をしてもよい。制御手段２００は、このタッチパネル１２４や操作部２１５の操作に従って、各種ソースを含めた制御を行っている。また、制御手段２００は、図２のように車両内に複数備え付けられたスピーカ１６の各音量等を、音声調整回路２１０を用いて制御することができるように構成されている。また制御手段２００は、メモリ２１８に画質設定情報やプログラム、車両情報等の各種設定情報を記憶させることも行っている。
【００７４】
図９はメモリ２１８の概略を示すブロック図である。図中、２３３は第１の画面ＲＡＭ、２３４は第２の画面ＲＡＭ２３４、２３５は画質設定情報記憶手段、２３６は対環境調整値保持手段である。
【００７５】
メモリ２１８は、例えば図９に示すように、使用者が設定した第１の画像および第２の画像の画質の調整値がそれぞれ書き込み可能な第１の画面ＲＡＭ２３３および第２の画面ＲＡＭ２３４を有する。また、第１の画像及び第２の画像の画質を調整する場合に、読み出すことができるプリセット値として各画質調整用に予め複数段階の画質調整値が記憶されている画質設定情報記憶手段２３５も有する。さらに車外の明るさ変化等の周囲環境変化に応じた画質を調整するために、周囲環境に対する第１の映像及び第２の映像の画質の調整値を保持する対環境調整値保持手段２３６を有している。ここで画質設定情報記憶手段２３５及び対環境調整値保持手段２３６は、フラッシュメモリなどの電気的書き換え可能不揮発性メモリ又はバッテリバックアップされた揮発性メモリにより構成される。
【００７６】
外部音声／画像入力部２１９に接続された、例えば後方監視用のカメラ２２０からの画像を表示部７に表示するようにしてもよい。なお、後方監視用カメラ２２０以外に、ビデオカメラ及びゲーム機等を外部音声／画像入力部２１９に接続してもよい。
【００７７】
制御手段２００は、明るさ検知手段２２１（例えば、車両のライトスイッチや光センサ）や乗員検知手段２２２（例えば、運転席や助手席に設けられる感圧センサ）により検知された情報を元に、音声の定位位置等の設定を変更させることが可能である。
【００７８】
２２３は車両の後席用に設けられたリア表示部であり、画像出力部２１１を介して、表示部７に表示される画像と同じもの、もしくは運転席用の画像か助手席用の画像の一方が表示可能である。
【００７９】
制御手段２００は、ＥＴＣ車載器２５０からの料金表示等を表示させることを行っている。また制御手段２００は、携帯電話などと無線接続するための通信ユニット２２５を制御し、これに関する表示がされるようにしてもよい。
【００８０】
以下に、本発明による表示装置をさらに詳述する。尚、以下の実施形態は、図６に示した表示装置のハードウェア構成をベースに要部を機能単位にアレンジした図１１のブロック構成図に基づいて説明する。
【００８１】
車両に搭載されたマルチビュー表示装置は、図１１に示すように、車両を目的地に誘導するナビゲーション装置Ｎと、地上波デジタル放送を受信する電波受信装置３０２と、ＤＶＤプレーヤー３０３と、それらの出力画像を表示するマルチビュー表示装置３０１が車両に搭載され、前記マルチビュー表示部３０１を表示制御する表示制御装置３０４が設けられている。前記マルチビュー表示部３０１と表示制御装置３０４によって表示装置が構成されている。
【００８２】
前記ナビゲーション装置Ｎは、道路地図データを記憶した地図データ記憶手段３０５と、自車の位置情報を認識するＧＰＳ受信手段３０６と、ＧＰＳアンテナ３０６ａと、自車の走行状態を管理する自律航法手段３０７と、地図データに基づいて指定された目的地までの経路を探索する経路探索手段３０８と、地図上に自車の走行位置を表示する走行状態表示処理手段３０９と、各種の動作モードや動作条件を設定する操作部３１０等を備えて構成され、単一または複数のＣＰＵとその動作プログラムが格納されたＲＯＭ及びワーキングエリアに使用されるＲＡＭを備えて各ブロックが制御されるように構成され、指定された地点に自車を誘導するナビゲーション機能を有している。
【００８３】
前記電波受信装置３０２は、受信アンテナ３２０と、前記受信アンテナ３２０を介して受信された伝送チャンネル（周波数帯域）を選局するチューナ３２１と、選局された受信信号からデジタル信号を取り出して誤り訂正処理を行ないＴＳ（トランスポートストリーム）パケットを出力するＯＦＤＭ復調部３２２と、ＴＳパケットのうち映像・音声パケットから音声信号を復号してスピーカＳＰに出力するとともに、映像信号を復号して表示制御装置３０４に出力するデコーダ３２３を備えたデジタルテレビ受信機として構成されている。
【００８４】
前記マルチビュー表示部３０１は、図１２に示すように、ＴＦＴアレイ９１６を形成したＴＦＴ基板９１２とそれに対向して配置される対向基板９１４の間に液晶層９１３を挟持した一対の基板を２枚の偏光板９１１の間に配置した液晶パネルと、マイクロレンズと遮光スリットを形成した視差バリア層９１５を形成した視差バリア基板９１７とを一体形成して構成されている。
【００８５】
前記ＴＦＴアレイ９１６は、図１３に示すように、データ線９２５と走査線９２４によって囲まれた領域を一単位とする複数の画素が形成され、各画素には液晶層９１３に電圧を印加する画素電極９２３と、それをスイッチング制御するＴＦＴ素子９２２が形成されている。走査線駆動回路９２１はＴＦＴ素子９２２の選択走査を行い、またデータ線駆動回路９２０は、画素電極９２３への印加電圧を制御する。表示パネル駆動部９２６は走査線駆動回路９２１及びデータ線駆動回路９２０の駆動タイミングを制御する。
【００８６】
前記複数の画素は、一列置き（一データ線置き）に配列（奇数列と偶数列に分類）された第一視方向に対応する第一の画素群と第二視方向に対応する第二の画素群の二つの画素群で形成され、それぞれはソースの異なる映像信号に基づいて各別に駆動される。前記二つの画素群を通過した光は、それぞれ視差バリア層９１５によって異なる方向へ導かれ、或いは、特定方向の光は遮光されるため、空間上の表示面９１８近傍に限って、異なる方向へ異なる映像を表示することが可能となっている。尚、二つの画素群は一列置きに配列するものに限られるのではなく、画面内において分散配置されていればよい。
【００８７】
前記マルチビュー表示部３０１は、運転席と助手席の中央部のフロントパネルに設置され、第一視方向としての運転席側から観察される映像と第二視方向としての助手席側から観察される映像がそれぞれ異なるように表示することが可能な構成となっている。例えば、助手席側では前記電波受信装置３０２で受信されたテレビプログラムの映像情報が観察される一方で、運転者席側では前記ナビゲーション装置Ｎによるルート案内映像が観察されるように構成されている。
【００８８】
前記表示制御装置４は、図１１に示すように、表示モード等を設定操作する操作部３４０と、前記ナビゲーション装置Ｎ、前記電波受信装置３０２と、前記ＤＶＤプレーヤー３０３からのソース信号が入力され、前記操作部３４０で操作された表示条件に基づいてソース信号を選択するスイッチング回路としてのソース信号選択部３４１と、選択されたソース信号を前記マルチビュー表示部３０１に対応する映像信号に編集する映像信号編集部３４２と、編集された映像信号に基づいて前記マルチビュー表示部３０１を駆動する表示処理部３４３を備えて構成される。
【００８９】
前記映像信号編集部３４２は、前記ソース信号選択部３４１で選択された二系統のソース信号のフレームデータをＲＧＢの各画素毎にそれぞれバッファリングする編集メモリ３４２ａ，３４２ｂと、双方のフレームデータから単一のフレームデータに合成編集する合成編集部３４２ｃと、合成編集されたフレームデータをバッファリングする出力バッファ３４２ｄを備えて構成される。前記合成編集部３４２ｃは、何れか一方のソース信号により前記第一視方向に対応する画素群が駆動され、他方のソース信号により前記第二視方向に対応する画素群が駆動されるように、双方のフレームの画素データの配列を必要に応じて間引きしながら編集処理するもので、このように合成編集されることにより、前記マルチビュー表示部３０１の第一視方向からの観察者が一方のソース信号に対応した映像を観察でき、第二視方向からの観察者が他方のソース信号に対応した映像を観察できるようになる。
【００９０】
前記ソース信号選択部３４１は、さらに、第一視方向に対応するソース信号と前記第一視方向とは異なる第二視方向に対応するソース信号を共通のソース信号として選択可能に構成され、前記映像信号編集部３４２は、ソース信号を共通とする夫々の映像信号により駆動される第一及び第二視方向に対応する画素が基準位置から所定方向に相対的にずれるように映像信号を編集する機能を備え、前記表示処理部３４３は、編集後の映像信号に基づいて各視方向に対応する画素を駆動する強調表示処理部として機能するように構成されている。
【００９１】
つまり、前記映像信号編集部４２は、例えば、図１４（ａ）に示すような共通のソース信号による映像が、第一視方向に対する画素群を駆動する図１４（ｂ）に示すような映像と、第二視方向に対する画素群を駆動する図１４（ｃ）に示すような映像になるように前記編集メモリ３４２ａ，３４２ｂに格納されたフレームデータを相対的に移動編集した後に単一のフレームデータに合成編集するのである。その結果、第一視方向からの観察者は、図１４（ｄ）に示すように、前記視差バリア層９１５から漏洩する第二視方向に対する映像が第一視方向に対する映像の影のように観察され、擬似立体感を醸し出すように強調表示されるのである。
【００９２】
この場合、異なるソース信号に基づいて第一視方向及び第二視方向に対する映像信号を合成編集する際の双方の画素配列を基準位置とし、基準位置に対して何れかまたは双方を所定方向にずらし処理した後に合成編集することにより上述の効果が得られるもので、ずらし方向及びずらし量は特に制限されるものではなく、強調効果が奏される範囲で適宜設定可能である。本実施形態の場合には、前記操作部３４０で前記ずらし方向及びずらし量を可変に設定可能に構成されている。さらに、図１５（ａ）から（ｄ）に示すように、前記視差バリア層９１５から漏洩する第二視方向に対する映像の輝度または色相、或いは双方を前記第一視方向に対する映像と異ならせることによって、強調表示の効果がさらに顕著に表われるようになる。この場合、輝度または色相についても前記操作部３４０で設定可能に構成されている。
【００９３】
以下、本実施形態において第一視方向からの観察者に擬似立体感を与えるべく、第二視方向に対する映像信号の編集について主に説明するが、第二視方向からの観察者に擬似立体感を与える場合も編集対象となる映像信号を第一視方向に対するものに変更することにより同様に実現できるものである。
【００９４】
さらに、前記合成編集部３４２ｃは、前記強調表示処理部３４３により強調表示される部位を選択する強調部位選択部としての機能を備え、前記映像信号編集部３４２は何れかの映像信号から前記強調部位選択部により選択された部位を抽出して、抽出した部位に対応する画素を基準位置から所定方向に所定量ずらせることにより、前記視差バリア層９１５から漏洩する第二視方向に対する映像で第一視方向に対する映像の一部を強調表示できるように構成されている。
【００９５】
前記強調部位選択部は、前記操作部３４０で操作入力された強調部位選択情報に基づいて、前記編集メモリ３４２ｂに格納された第二視方向に対応するフレームデータから強調部位のみを抽出し、その他のデータをブランクデータ、つまり黒色のデータに設定する。その後、当該フレームデータを基準位置から所定方向に所定量ずらせ、前記編集メモリ３４２ａに格納された第一視方向に対応するフレームデータと合成編集して出力用のフレームデータとして前記出力バッファに格納するのである。これらの一連の編集処理を図１６のフローチャートに示す。
【００９６】
前記強調部位選択情報としては、設定された強調表示領域を選択する座標情報（例えば矩形領域の場合、各頂点の座標情報）、映像に含まれる文字部を選択する文字情報、映像に含まれる特定着色部を選択する色情報、映像から静止体または動体の何れかを選択する静止体情報または動体情報、前記映像信号がナビゲーション装置からの案内路映像の場合に映像から誘導路部位を選択する誘導路情報等が設定可能に構成されている。
【００９７】
前記操作部３４０は、前記マルチビュー表示装置３０１の表示画面に設けられたタッチパネルとタッチパネルに対応するメニューを表示するメニュー表示部とで構成され、映像ソースを選択する映像ソース選択メニューと、選択された映像ソースに対応して擬似立体表示するか否かを選択する強調表示メニューと、強調表示メニューが選択されたときの強調表示モード選択メニューなどが階層的に表示できるように構成され、強調表示モード選択メニューの下位の階層に設けられた強調部位選択メニューによって強調部位が選択できるように構成されている。
【００９８】
映像ソース選択メニューで二系統の映像ソースが選択され、強調表示メニューで擬似立体表示を行なわないように選択されるときには、通常のマルチビュー表示として機能し、運転席側と助手席側にそれぞれ異なるソースの映像が表示され、映像ソース選択メニューで一系統の映像ソースが選択され、強調表示メニューで擬似立体表示を行なうように選択されるときには、本発明による擬似立体表示が行なわれる。
【００９９】
例えば、強調部位選択情報として座標情報が指定されたときには前記編集メモリ３４２ｂに格納された第二視方向に対応するフレームデータから当該座標情報に基づく領域（複数領域に及ぶ場合も想定される）が選択抽出され、文字情報が指定されたときには文字部位が選択抽出され、色情報が指定されたときには、ＲＧＢデータに基づいて指定された色の画素が選択抽出され、静止体情報または動体情報が指定されたときには対応する静止体または動体が選択抽出される。ここで、文字情報は画素データを二値化処理してエッジ検出することにより抽出され、動体や静止体は、時系列的に連続するフレーム間の画素の比較によって動体または静止体を識別することにより抽出されるが、これらの抽出手法に限るものではなく、適宜公知の方法を採用することができる。さらに、強調部位選択情報が誘導路情報であるときには、図１７に示すように前記ナビゲーション装置Ｎの走行状態表示処理手段３０９からのソース信号に含まれる誘導路を示す属性情報、属性情報が付与されていないときには、映像信号、例えば、誘導路が特定色に着色されている場合には色情報から抽出されるように構成することができる。勿論その他の属性情報に基づいて抽出することも可能である。さらに、全画面が擬似立体表示対象として選択される場合も対応されている。
【０１００】
前記強調部位選択メニューで選択された強調表示部位に対する強調表示モードは、上述の強調表示モード選択メニューによって設定される。具体的には、基準位置に対する画素の移動方向と移動量の設定画面からそれらが設定され、移動された画素の輝度または色相の設定画面から擬似立体表示するための影の部位の輝度または色相が設定され、擬似立体表示を静的に行なうのか動的に行なうのかの選択画面から何れかが設定される。動的に表示する旨のモードが選択されると、映像信号に付随する音声信号に基づくモード、映像信号に付随する映像属性信号に基づくモード、外部入力信号に基づくモードが設定可能に画面が遷移するように構成され、外部入力信号に基づくモードでは、車両に搭載された障害物センサによる警報信号や、当該操作部３４０に対する操作入力信号等が外部入力信号として設定可能に構成されている。
【０１０１】
例えば、静的に強調表示するモードが選択されると、設定された一定の移動方向と移動量で常に強調表示され、動的に強調表示するモードが選択されると、設定された移動方向と移動量の範囲で周期的または非周期的に強調表示状態が変化するように表示される。つまり、前記映像信号編集部３４２は各フレームに対する合成編集処理条件を動的に変化させて編集するのである。
【０１０２】
さらに詳述すると、映像信号に付随する音声信号に基づくモードが選択されたときには、映像信号に付随する音声信号の強度または周波数に基づいて、夫々の映像信号により駆動される第一及び第二視方向に対応する画素が基準位置から所定方向に相対的にずれるように映像信号を編集し、または、ずらし編集を停止するのである。例えば、図１８（ａ）から図１８（ｃ）に示すように、低周波の信号でリズミカルに強調表示に揺らぎを与えることによって、映像をより楽しむ効果が得られるようになる。
【０１０３】
映像信号に付随する映像属性信号に基づくモードが選択されるとき、例えば、デジタル地上波によるプログラムの映像がソース信号として入力されるようなときに、映像属性信号として、例えば、ＴＳパケットのヘッダー情報に埋め込まれた識別コードによって、プログラムの主映像とＣＭ（コマーシャル・メッセージ）映像を識別し、ＣＭ映像に対して強調表示するように構成することができる。つまり、ソース信号の供給者側により予め強調表示させる必要のある映像信号に、識別可能な映像属性信号を付加しておくことにより、前記映像信号編集部がその映像属性信号を識別して必要な映像が強調表示されるようになる。
【０１０４】
外部入力信号に基づくモードが選択され、例えば、図１１に示すように、車両に搭載されたミリ波レーダーを備えた障害物センサ１１による警報信号が外部入力信号と設定されたときには、図１９に示すように、当該警報信号入力されたときに、危険を報知するメッセージを擬似輪郭表示により強調表示するように構成されている。この場合、前記映像信号編集部３４２に設けられた不図示のメッセージ生成部によってメッセージが生成され、両編集メモリ３４２ａ，３４２ｂに重ね合わされた後に上述と同様の処理が施される。また、当該操作部３４０に対する操作入力信号が外部入力信号と設定されたときには、操作されたときに強調表示が停止されるように動作する。操作されたときに強調表示を停止することにより画面のガイダンス表示を見易くし、操作性を向上させることができるようになる。
【０１０５】
さらに、擬似立体表示での強調表示作動中に強制的に作動モードを変更または停止する調整手段を備えて、当該調整手段により観察者が前記マルチビュー表示装置１の表示画面に触れたことが検出されると、強調表示を停止し、または、影の映像の輝度や色相を目立たない値に調整し、表示画面の操作が一定時間成されないときに強調表示を再作動するように構成することも可能である。このように構成することで、上述と同様に、画面のガイダンス表示を見易くし、操作性を向上させることができるようになる。
【０１０６】
さらに、前記映像信号編集部３４２は、ソース信号を共通とする夫々の映像信号により駆動される第一及び第二視方向に対応する画素が、基準位置から所定方向に相対的にずれるように映像信号を編集するものであるため、編集の結果、何れかの映像信号に含まれない領域つまり強調表示できない領域が生じる。そこで、この場合には、図２０に示すように、そのような強調表示不可能な領域（図２０（ｃ）のグレイで塗りつぶした領域）を一定の色で表示し、または、強調表示可能領域の境界部位映像を画像の端部まで繰り返すことにより、そのような領域が強調表示されない領域として容易に認識できるように構成されている。
【０１０７】
上述した実施形態は、本発明の一例に過ぎす、操作部３４０に対する各種のメニュー及びその表示または操作手順は適宜構成することができる。また、映像信号編集部の具体的構成も本発明による作用効果を奏する範囲で適宜設定できることもいうまでもないことである。上述の映像信号編集部の構成はマイクロコンピュータを用いたソフトウェア処理や、ゲートアレイ等を用いたハードウェア、さらにはそれらを組み合わせた構成で実現することが可能である。
【０１０８】
強調部位選択情報として複数の領域の座標情報が指定される場合には、領域毎にずらし量を設定可能に構成してその程度を調整できるように構成することもできる。
【０１０９】
上述した実施形態では、車載され、運転席と助手席から同時に異なる映像が観察できるマルチビュー表示装置について説明したが、本発明が対象とする表示装置は、車載されるものに限定するものではなく、また、二つの視方向以上の複数の視方向から同時に異なる映像が観察できるものも対象となる。
【０１１０】
また、マルチビュー表示部として特開２００４−２０６０８９号公報に記載されたような液晶パネルを用いた場合について説明したが、これに限定されるものではなく、特開２００３−１５５３５号公報に記載されたような構成を採用するもの等の他、有機ＥＬやプラズマディスプレイ、ＣＲＴ、ＳＥＤ等を用いて構成されたマルチビュー表示部一般に対しても同様に適用することができる。
【０１１１】
尚、本発明に規定する映像との用語は静止画像及び動画像の何れをも含むものである。
【図面の簡単な説明】
【０１１２】
【図１】本発明に係る表示装置の概念図
【図２】表示装置の搭載例を示す斜視図
【図３】表示部の断面構造の概略図
【図４】表示パネルを正面から見た構造の概略図
【図５】ＴＦＴ基板の概略を示す回路図
【図６】本発明に係る表示装置の概略を示すブロック図
【図７】画像出力部２１１の概略を示すブロック図
【図８】制御手段２００の概略を示すブロック図
【図９】メモリ２１８の概略を示すブロック図
【図１０】二系統の映像信号から表示部に表示される映像信号の生成手順を示す説明図
【図１１】本発明の表示制御装置により制御するマルチビュー表示装置を車両に搭載したカーナビゲーションに用いた場合のブロック構成図
【図１２】表示制御装置の説明図
【図１３】液晶パネルの説明図
【図１４】擬似立体表示の説明図
【図１５】擬似立体表示の説明図
【図１６】映像信号編集処理の手順を示すフローチャート
【図１７】ナビゲーション画面における強調表示の説明図
【図１８】動的な強調表示の説明図
【図１９】外部入力による強調表示の説明図
【図２０】画面端部処理の説明図
【符号の説明】
【０１１３】
１：第１の映像ソース、２：第２の映像ソース、３：第１の画像データ、４：第２の画像データ、５：表示制御部、６：表示データ、７：表示部、８：第１の表示画像、９：第２の表示画像、１０：観察者、１１：観察者、１２：助手席、１３：運転席、１４：ウインドシールド、１５：操作部、１６：スピーカ、
１００：液晶パネル、１０１：バックライト、１０２：偏光板、１０３：偏光板、１０４：ＴＦＴ基板、１０５：液晶層、１０６：カラーフィルタ基板、１０７：ガラス基板、１０８：視差バリア、１０９：左側（助手席側）表示用の画素、１１０：右側（運転席側）表示用の画素、１１１：表示パネル駆動部、
１１２：走査線駆動回路、１１３：データ線駆動回路、１１４：ＴＦＴ素子、１１５〜１１８：データ線、１１９〜１２１：走査線、１２２：画素電極、１２３：サブピクセル、１２４：タッチパネル、２００：制御部、２０１：ＣＤ／ＭＤ再生部、２０２：ラジオ受信部、２０３：ＴＶ受信部、２０４：ＤＶＤ再生部、２０５：ＨＤ（Hard Disk）再生部、２０６：ナビゲーション部、２０７：分配回路、２０８：第１の画像調整回路、２０９：第２の画像調整回路、２１０：音声調整回路、２１１：画像出力部、２１２：ＶＩＣＳ情報受信部、２１３：ＧＰＳ情報受信部、２１４：セレクタ、２１５：操作部、２１６：リモコン送受信部、２１７：リモコン、２１８：メモリ、２１９：外部音声／映像入力部、２２０：カメラ、２２１：明るさ検知手段、２２２：乗員検知手段、２２３：リア表示部、２２４：ＥＴＣ車載器、２２５：通信ユニット、２２６：第１の書込回路、
２２７：第２の書込回路、２２８：ＶＲＡＭ（Video RAM）、２２９：インターフェース、２３０：ＣＰＵ、２３１：記憶部、２３２：データ記憶部、２３３：第１の画面ＲＡＭ、２３４：第２の画面ＲＡＭ２３４、２３５：画質設定情報記憶手段、２３６：対環境調整値保持手段、
３０１：マルチビュー表示装置、３０２：電波受信装置、３０３：ＤＶＤプレーヤー、３４０：操作部、４１：ソース信号選択部、３４２ａ，３４２ｂ：編集メモリ、３４２ｃ：合成編集部（強調部位選択部）、３４２ｄ：出力バッファ、３４３：表示処理部（強調表示処理部）、Ｎ：ナビゲーション装置
【図１】
2006293276.tif 000003
【図２】
2006293276.tif 000004
【図５】
2006293276.tif 000005
【図６】
2006293276.tif 000006
【図７】
2006293276.tif 000007
【図８】
2006293276.tif 000008
【図９】
2006293276.tif 000009
【図１０】
2006293276.tif 000010
【図１１】
2006293276.tif 000011
【図１２】
2006293276.tif 000012
【図１３】
2006293276.tif 000013
【図１４】
2006293276.tif 000014
【図１６】
2006293276.tif 000015
【図３】
2006293276.tif 000016
【図４】
2006293276.tif 000017
【図１５】
2006293276.tif 000018
【図１７】
2006293276.tif 000019
【図１８】
2006293276.tif 000020
【図１９】
2006293276.tif 000021
【図２０】
2006293276.tif 000022